(57)【要約】【課題】特別な部材を新たに設けることなく、視認性の高い情報の表示を行えるファインファを備えた機器を提供する。【解決手段】対象となる所定領域を複数の領域に分割して焦点検出又は測距を行い、合焦位置を決定する合焦位置決定手段と、所定領域の対象物の像を表示するファインダと、ファインダが表示する対象物の像に重ねて個別に選択的に表示できる複数の表示要素１４を有する表示手段と、合焦位置決定手段が決定した合焦位置に基づいて、表示要素１４を選択し、選択した表示要素１４を、ファインダが表示する対象物の像に重ねて表示させる第１の制御手段と、合焦位置以外の情報に基づいて、表示要素１４を選択し、選択した表示要素１４を、ファインダが表示する対象物の像に重ねて表示させる第２の制御手段とを備える。【選択図】　図５
2004012979.tif 000002
【特許請求の範囲】
【請求項１】
対象となる所定領域を複数の領域に分割して焦点検出又は測距を行い、合焦位置を決定する合焦位置決定手段と、
上記所定領域の対象物の像を表示するファインダと、
上記ファインダが表示する上記対象物の像に重ねて個別に選択的に表示できる複数の表示要素を有する表示手段と、
上記合焦位置決定手段が決定した合焦位置に基づいて、上記表示要素を選択し、選択した上記表示要素を、上記ファインダが表示する上記対象物の像に重ねて表示させる第１の制御手段と、
上記合焦位置以外の情報に基づいて、上記表示要素を選択し、選択した上記表示要素を、上記ファインダが表示する上記対象物の像に重ねて表示させる第２の制御手段とを備えたことを特徴とする、ファインダを備えた機器。
【請求項２】
上記ファインダを備えた機器は撮像装置であり、撮影開始時に操作される操作部材が操作された場合には、上記第１の制御手段を動作させ、上記操作部材が操作されない場合には、上記第２の制御手段を動作させる表示切替制御手段を備えたことを特徴とする、請求項１記載のファインダを備えた機器。
【請求項３】
上記合焦位置以外の情報は、機器の動作のモードに関する動作モード情報、又は機器の内部の状態に関する内部情報を含むことを特徴とする、請求項１又は２記載のファインダを備えた機器。
【発明の詳細な説明】
【０００１】
【発明の属する技術分野】
本発明は、ファインダを備えた機器、例えばカメラ等の撮像装置や画像観察装置に関する。
【０００２】
【従来の技術】
従来の技術をカメラを例にとって説明する従来のカメラは、各種情報が見えるように、カメラ本体の外部に表示部を設けたり、構図を決めるときなどに覗くファインダに各種情報を表示したりしている。
【０００３】
図１は、一眼レフカメラのファインダの例を示す。ファインダ１は、撮影領域の対象物すなわち被写体の像の表示（以下、単に「撮影領域の表示」という場合がある）を行うメイン表示部２の下方に、撮影情報を表示するサブ表示部３が設けられている。メイン表示部２には、ワイドフォーカスフレーム４ａ、スポットフォーカスフレーム４ｂ、ローカルフォーカスフレーム４ｃが配置され、適宜に選択されて赤く点灯し、これにより合焦位置を表示する。サブ表示部３には、図示していないが、シャッター速度表示、絞り値表示、フィルム残数表示、フラッシュ撮影表示、フラッシュ充電完了表示など、各種情報を表示する複数の表示エレメントが配置され、選択的に表示されるようになっている。
【０００４】
図２は、一眼レフではないタイプのカメラのファインダの例を示す。このファインダ１ａは、撮影領域を表示する表示部２ａに、複数の表示セグメント５が配置されている。表示セグメント５は、測距結果に基づいて選択されたものが表示され、他は表示されない。例えば図３に示すように、合焦位置の被写体６を囲むように選択された表示セグメント５ａのみが表示される。
【０００５】
図４は、一眼レフではないタイプのカメラにおけるファインダの他の例を示す。このファインダ１ｂは、撮影領域を表示する表示部２ｂに、測距範囲を常に表示する測距フレーム７が配置されている。
【０００６】
【発明が解決しようとする課題】
カメラ本体の外部に設けた液晶表示部は、カメラ使用中には一般にファインダを覗くので、その表示を見ることができない。また、表示面積が限られるため、文字や記号の視認性が悪い。
【０００７】
ファインダに情報を表示すれば、カメラ使用中でも見ることができる。しかし、図１のように、撮影領域の表示部分（メイン表示部２）の外側（サブ表示部３）に表示したのでは、文字や記号が小さくなり、視認性が悪い。
【０００８】
ファインダの撮影領域の表示部分に情報を表示すれば、視認性の改善が期待できるが、そのために専用部材を別個に設けると、ファインダ、ひいてはカメラが大きくなり、小型化の要請に反する。これらの問題はカメラ、撮像装置に限らず、ファインダを備えた機器に共通するものである。
【０００９】
したがって、本発明が解決しようとする技術的課題は、特別な部材を新たに設けることなく、視認性の高い情報の表示を行えるファインダを備えた機器を提供することである。
【００１０】
【課題を解決するための手段】
本発明は、上記技術的課題を解決するために、以下の構成の機器を提供する。
【００１１】
請求項に記載された本発明の機器は、合焦位置決定手段と、ファインダと、表示手段と、第１の制御手段と、第２の制御手段とを備える。上記合焦位置決定手段は、対象となる所定領域、例えば撮像装置の場合であれば撮影する撮影領域を複数の領域に分割して焦点検出又は測距を行い、合焦位置を決定する。上記ファインダは、上記所定領域の対象物の像を表示する。上記表示手段は、上記ファインダが表示する上記対象物の像に重ねて個別に選択的に表示できる複数の表示要素を有する。上記第１の制御手段は、上記合焦位置決定手段が決定した合焦位置に基づいて、上記表示要素を選択し、選択した上記表示要素を、上記ファインダが表示する上記対象物の像に重ねて表示させる。上記第２の制御手段は、上記合焦位置以外の情報に基づいて、上記表示要素を選択し、選択した上記表示要素を、上記ファインダが表示する上記対象物の像に重ねて表示させる。
【００１２】
上記構成において、合焦位置以外の情報に基づいて選択した表示要素を表示することにより、ファインダの対象物の像に、合焦位置以外の情報を重ねて表示できる。
【００１３】
上記構成によれば、合焦位置を表示するための表示要素を用いて、合焦位置以外の情報を表示できる。
【００１４】
したがって、特別な部材を新たに設けることなく、ファインダの対象物の像の表示部分に、合焦位置以外の情報を表示できる。
【００１５】
好ましくは、表示切替制御手段を備える。上記表示切替制御手段は、上記機器が撮影装置、例えばカメラの場合、撮影開始時に操作される操作部材が操作された場合には、上記第１の制御手段を動作させ、上記操作部材が操作されない場合には、上記第２の制御手段を動作させる。
【００１６】
上記構成において、撮影開始時に操作される操作部材（例えば、撮影開始釦）を操作していない場合には、第２の制御手段により、合焦位置以外の情報がファインダに表示される。操作部材を操作した場合、第１の制御手段により、合焦位置がファインダに表示される。
【００１７】
上記構成によれば、撮影開始時には、操作部材の操作に連動して、ファインダの表示は撮影に最も必要な合焦位置の表示に自動的に切り替わるので、操作性がよい。
【００１８】
好ましくは、上記合焦位置以外の情報は、ファインダを備えた機器の動作のモードに関する動作モード情報、又は上記機器の内部の状態に関する内部情報を含む。
【００１９】
上記構成によれば、例えば、上記機器において選択されているモード、撮像装置であれば撮影モードに関する動作モード情報や、バッテリー残量、フラッシュ充電完了、フィルム給送などに関する内部情報を、ファインダに表示できる。
【００２０】
【発明の実施の形態】
以下、本発明の実施の形態としてフィルムを使用するカメラの一実施例を図５〜図１４に基づいて説明する。
【００２１】
図８は、カメラ２０の構成を模式的に示すブロック図である。カメラ２０は、構図を決めるときなどに覗くファインダ３０を備える。カメラ本体２２内には、カメラ全体の制御を統括するマイクロコンピュータ３８が配置され、撮影開始釦２４、接眼センサ３４、ファインダ３０内に配置された表示部材３２、モード選択釦２６、フォーカスレンズ２８を駆動するフォーカスモータ３６などに接続されている。マイクロコンピュータ３８には、図示していないが、フラッシュ、フィルム給送モータ、ズームアップ釦、ズームダウン釦、リモコンモード釦、セルフタイマー釦、レリーズ表示灯、リモコン信号受信部、測距装置などが接続されている。
【００２２】
マイクロコンピュータ３８は、所定のプログラムに従って動作し、制御を行う。撮影開始釦２４は、撮影開始時に操作する操作部材である。接眼センサ３４は、ファインダ３０の接眼窓３１近くに配置された発光部及び受光部（図示せず）を有し、接眼窓３１を覗いている人を検知する。モード選択釦２６は、ポートレート、夜景、マクロ、セルフタイマー、リモコン等の撮影モードを選択し設定するための操作部材である。
【００２３】
表示部材３２は、図５〜図７、図１５のファインダ３０の表示１０に示すように、複数のセグメント１４を有し、カメラ２０の撮影領域の表示部分（対象物、すなわち被写体の像）１２にセグメント１４を重ねて表示させることができる。各セグメント１４は、マイクロコンピュータ３８により、個別に表示／非表示が制御される。セグメント１４は、測距装置の領域分割に対応して、例えば３×８の升目を構成するように縦横に配置されている。すなわち、測距装置は、カメラ３０の撮影領域を、例えば３×８の領域に分割して測距を行い、セグメント１４は、各領域の上下左右の境界に配置される。
【００２４】
撮影時には、マイクロコンピュータ３８は、測距装置からの測距結果に基づいて合焦すべき領域を決定し、その領域を表示するために、セグメント１４を適宜に選択して表示させる。例えば図１５のように、合焦すべき１又は２以上の領域を囲むセグメント１４を選択し、それを表示させる。同時に、フォーカスモータ３６を駆動させ、合焦すべき領域すなわちセグメント１４で囲まれた領域に焦点が合うようにする。
【００２５】
撮影時以外には、マイクロコンピュータ３８は、セグメント１４を適宜に選択して、図５〜図７に示したように、合焦位置以外の情報をファインダ３０に表示させる。なお、図５〜図７、図１５において、セグメント１４のうち黒線で表示した部分は点灯し表示状態であり、撮影領域の表示部分１２に重なって見える。一方、点線部分は点灯しない非表示状態であり、実際には見えない。
【００２６】
図５（ａ）では、フラッシュ充電中を、“ｃｈｒｇ”（ｃｈａｒｇｅの簡略化）の形にセグメント１４を選択して表示している。図５（ｂ）では、リモコン受信待機中を、“ＲＥＭＯ”（ｒｅｍｏｔｅの簡略化）の形にセグメント１４を選択して表示している。
【００２７】
図６は、セルフタイマーモード時の表示例を示す。図６（ａ）では、セルフタイマーモードが選択されていることを、“ＳＥＬＦ”の形にセグメント１４を選択して表示している。この表示は、撮影開始釦２４のＯＮ信号の入力待機中に表示される。撮影開始釦２４のＯＮ信号の入力後、セルフタイマーのカウントダウンに合わせて、図６（ｂ）、（ｃ）及び（ｄ）のように、“１０”、“９”、…“１”の形にセグメント１４を選択して表示する。
【００２８】
図７（ａ）では、バッテリーの残量が所定以下の場合に、電池の交換が必要であることを、“ｂＡｔｔ”（Ｂａｔｔｅｒｙの簡略化）の形にセグメント１４を選択して表示している。図７（ｂ）では、フィルムの巻き戻し中を、“ＲＥＷ”（Ｒｅｗｉｎｄの簡略化）の形にセグメント１４を選択して表示している。図７（ｃ）では、ズームアップ釦の操作中を、“ｕｐ”の形にセグメント１４を選択して表示している。図７（ｄ）では、ズームダウン釦の操作中を、“ｄｗｎ”（ｄｏｗｎの簡略化）の形にセグメント１４を選択して表示している。図７（ｅ）では、ポートレートモードが選択されていることを、“Ｐｏｒｔ”（Ｐｏｒｔｒａｉｔの簡略化）の形にセグメント１４を選択して表示している。図７（ｆ）では、夜景モードが選択されていることを、“ｎｉｇｈｔ”の形にセグメント１４を選択して表示している。図７（ｇ）では、マクロモードが選択されていることを、“ｍＡｃｒ”（Ｍａｃｒｏの簡略化）の形にセグメント１４を選択して表示している。図７（ｈ）では、シャッターを開くタイミング、すなわちレリーズを、“Ｓｈｕｔ”（Ｓｈｕｔｔｅｒの簡略化）の形にセグメント１４を選択して表示している。
【００２９】
次に、ファインダ３０に種々の情報を表示する動作について、図９〜図１４を参照しながら説明する。
【００３０】
図９は、接眼センサ３８に連動する表示動作のフローチャートである。
【００３１】
マイクロコンピュータ３８は、接眼センサ３４からＯＮ信号が入力されるのを待ち（＃１０でＮＯ）、接眼センサ３４からＯＮ信号が入力されると（＃１０でＹＥＳ）、モード選択釦２６の状態を取得し、モード選択釦２６により設定された撮影モード（ポートレート、夜景、マクロなど）を表示部材３２によりファインダ３０に表示させ、所定時間の経過を待つ（＃１４でＮＯ）。所定時間が経過したら（＃１４でＹＥＳ）、表示部材３２による撮影モードの表示を消す（＃１６）。
【００３２】
図１０は、モード選択釦２６の操作に連動する表示動作一般を示すフローチャートである。
【００３３】
マイクロコンピュータ３８は、モード選択釦２６が操作され、モード選択釦２６から操作信号が入力されるのを待ち（＃２０でＮＯ）、モード選択釦２６から操作信号が入力されると（＃２０でＹＥＳ）、入力された操作信号に基づいてカメラの撮影モードの設定を変更し（＃２２）、変更後の撮影モードを表示部材３２によりファインダ３０に表示させ（＃２４）、所定時間の経過を待つ（＃２６でＮＯ）。所定時間が経過したら（＃２６でＹＥＳ）、表示部材３２による撮影モードの表示を消す（＃２８）。
【００３４】
図１１は、リモコンモード時の表示動作のフローチャートである。
【００３５】
マイクロコンピュータ３８は、リモコンモード釦が操作され、リモコンモード釦からＯＮ信号が入力されるのを待ち（＃３０でＮＯ）、リモコンモード釦からＯＮ信号が入力されると（＃３０でＹＥＳ）、撮影モードをリモコンモードに変更し（＃３２）、ファインダ３０に表示部材３２によりリモコンモード、すなわち図５（ｂ）に示すように“ＲＥＭＯ”を表示し（＃３４）、リモコンからのレリーズ操作信号の受信を待つ（＃３６でＮＯ）。リモコンからレリーズ操作信号を受信すると（＃３６でＹＥＳ）、シャッターを動作させてレリーズを行うとともに、表示部材３２によりファインダ３０にレリーズ、すなわち図７（ｈ）に示すように“Ｓｈｕｔ”を表示させる（＃３８）。
【００３６】
図１２は、セルフタイマーモード時の表示動作のフローチャートである。
【００３７】
マイクロコンピュータ３８は、セルフタイマー釦からＯＮ信号が入力されるのを待ち（＃４０でＮＯ）、セルフタイマー釦からＯＮ信号が入力されると（＃４０でＹＥＳ）、撮影モードをセルフタイマーモードに変更し（＃４２）、表示部材３２によりファインダ３０にセルフタイマーモード、すなわち図６（ａ）に示すように“ＳＥＬＦ”を表示させ（＃４４）、撮影開始釦２４からのＯＮ信号の入力を待つ（＃４６でＮＯ）。撮影開始釦２４からＯＮ信号が入力されると（＃４６でＹＥＳ）、カウントダウンを開始し、カウントダウンに応じて、図６（ｂ）ないし（ｄ）に示されるように表示部材３２によりファインダ３０に残り時間を表示させる（＃４８）。カウントダウンが終了すると（＃５０でＹＥＳ）、シャッターを動作させてレリーズを行うとともに、表示部材３２によりファインダ３０にレリーズ、すなわち図７（ｈ）に示すように“Ｓｈｕｔ”を表示させる（＃５２）。
【００３８】
図１３は、合焦位置の表示動作のフローチャートである。
【００３９】
マイクロコンピュータ３８は、撮影開始釦２４からのＯＮ信号の入力を待ち（＃６０でＮＯ）、撮影開始釦２４からＯＮ信号が入力されると（＃６０でＹＥＳ）、測距装置の出力に基づいて測距演算を行い、合焦位置を選択し（＃６２）、表示部材３２によりファインダ３０に合焦位置を表示させる（＃６４）。すなわち、３×８＝２４の領域中について、どの領域の被写体に合焦すべきかを判定し、少なくとも１つの合焦すべき領域を選択して表示させる。例えば、図１５に示すように合焦すべき領域を囲む表示部材３２のセグメント１４を選択し、選択したセグメント１４を点灯する。
【００４０】
そして、シャッターを動作させてレリーズを行うとともに、表示部材３２によりファインダ３０にレリーズ、すなわち図７（ｈ）に示すように“Ｓｈｕｔ”を表示させる（＃６６）。
【００４１】
図１４は、上記ステップ＃６６の詳細フローチャートである。
【００４２】
マイクロコンピュータ３８は、合焦すべき領域についての測距結果、すなわち被写体距離から、フォーカスモータ３６の停止位置を演算する（＃７０）。そして、演算した停止位置に達するまで（＃７４でＮＯ）、フォーカスモータ３６を駆動する（＃７２）。演算した停止位置に達すると（＃７４でＹＥＳ）、フォーカスモータ３６を停止する（＃７４）。このステップ＃７４まで、ファンダ３０には、合焦すべき領域、すなわち合焦位置が表示部材３２により表示される（図１５）。
【００４３】
次に、表示部材３２による表示をレリーズ表示、すなわち“Ｓｈｕｔ”（図７（ｈ））に切り替える（＃７８）。そして、シャッターを開閉させて露光を行う（＃８０）。露光完了後、表示部材３２によるレリーズの表示“Ｓｈｕｔ”を消す（＃８２）。
【００４４】
以上説明したように、合焦位置を表示する表示部材３２を用いて、合焦位置以外の情報を表示することにより、特別な部材を新たに設けることなく、ファインダ３０の撮影領域の表示部分１２に合焦位置以外の情報を表示できる。
【００４５】
なお、本発明は上記実施例に限定されるものではなく、その他種々の態様で実施可能である。
【００４６】
例えば、フィルムを用いるカメラに限らず、デジタルカメラでも構わない。また、スチルカメラに限らず、ファインダを備えたムービーカメラなどでも構わない。さらに、対象物の形状等を測定する種々の測定機器、対象物の監視・観察を行う機器であってもよい。また、本発明のファインダは所謂光学ファインダではなく電子ビューファインダ（ＥＶＦ）、液晶ファインダ等、他の形式のファインダでもよい。
【図面の簡単な説明】
【図１】従来の一眼レフカメラにおけるファインダの例である。
【図２】従来の非一眼レフカメラにおけるファインダの例である。
【図３】図２のファインダの表示例である。
【図４】従来の非一眼レフカメラにおけるファインダの他の例である。
【図５】本発明の一実施例のカメラにおけるファインダの表示例である。
【図６】ファインダの別の表示例である。
【図７】ファインダのさらに別の表示例である。
【図８】本発明の一実施例のカメラを示すブロック図である。
【図９】本カメラの動作のフローチャートである。
【図１０】本カメラの動作のフローチャートである。
【図１１】本カメラの動作のフローチャートである。
【図１２】本カメラの動作のフローチャートである。
【図１３】本カメラの動作のフローチャートである。
【図１４】図１３のステップ＃６６の詳細フローチャートである。
【図１５】ファインダの表示例である。
【符号の説明】
１２　撮影領域の表示
１４　セグメント（表示要素）
２０　カメラ（撮像装置、ファインダを備えた機器）
３０　ファインダ
３２　表示部材（表示手段）
３８　マイクロコンピュータ（第１の制御手段、第２の制御手段、表示切替制御手段）
２４　撮影開始釦（操作部材）
【図１】
2004012979.tif 000003
【図２】
2004012979.tif 000004
【図３】
2004012979.tif 000005
【図４】
2004012979.tif 000006
【図５】
2004012979.tif 000007
【図６】
2004012979.tif 000008
【図７】
2004012979.tif 000009
【図８】
2004012979.tif 000010
【図９】
2004012979.tif 000011
【図１０】
2004012979.tif 000012
【図１１】
2004012979.tif 000013
【図１２】
2004012979.tif 000014
【図１３】
2004012979.tif 000015
【図１４】
2004012979.tif 000016
【図１５】
2004012979.tif 000017